(57)【特許請求の範囲】
【請求項１】
監視制御システムにおいて、監視ポイントから警報情報が入力されると、表示手段に該警報情報を表示する警報表示システムにおいて、
前記監視ポイントにおいて発生した異常状態に関する警報情報を警報メッセージとして送信する子局と、
前記子局から受信した警報情報に基づいて、少なくとも１つの関連画面を１つの画面上に表示し、１つの前記画面上に警報に関する情報を自動表示する機能を一時的に禁止または、自動表示禁止状態を解除する自動表示禁止／解除手段を有するセンタと、を有し、
前記自動表示禁止／解除手段は、
手動操作により前記自動表示禁止状態を解除する手動解除手段と、
前記自動表示禁止状態となってから所定の時間が経過した時に解除する第１の自動表示禁止解除手段と、
所定のレベルより高い警報情報が発生した場合に前記自動表示禁止状態を解除する第２の自動表示禁止解除手段と、
を含むことを特徴とする警報表示システム。
【請求項２】
監視制御システムにおいて、監視ポイントから警報情報が入力されると、表示手段に該警報情報を表示する警報表示システムにおいて、
前記監視ポイントにおいて発生した異常状態に関する警報情報を警報メッセージとして送信する子局と、
前記子局から受信した警報情報に基づいて、少なくとも１つの関連画面を１つの画面上に表示するセンタと、を有し、
前記センタは、
１つの前記画面上に警報に関する情報を自動表示する機能を一時的に禁止または、自動表示禁止状態を解除する自動表示禁止／解除手段と、
前記自動表示禁止状態において発生した警報情報に関連する関連画面を表示する際に前記表示画面内に前記警報メッセージを表示するためのメッセージ表示領域を設定し、該メッセージ表示領域に表示された複数の前記警報メッセージ中から選択された警報メッセージに関連する関連画面を表示し、さらに、前記関連画面が既に他のウィンドウに表示されている場合には、新たに別のウィンドウに同じ前記関連画面を表示することなく、該他のウィンドウに表示されている関連画面を前記画面の最前面に表示する関連画面表示手段と、を含む
ことを特徴とする警報表示システム。
【発明の詳細な説明】
【０００１】
【産業上の利用分野】
本発明は、警報表示システムに係り、特に、建物や設備等の監視制御システムにおいて、建物等の監視ポイントでの警報発生時に当該警報に関連する関連画面を表示するための警報表示システムに関する。
【０００２】
詳しくは、建物管理及び警備業務を行う管理センタにおいて、建物や設備、環境等の複数の管理ポイントを統括的に監視する際に、管理センタ内の警報表示装置に管理ポイントの状況を表示する際の画面表示システムに関する。例えば、建物管理においては、機器の自動オン・オフの制御、センサによる温度監視及び制御、モニタ等における防犯監視等を警報表示装置に表示して監視するものである。これらのシステムを活用する際に、複数の管理ポイントにおいて、同時に火災等が発生した場合に、それらの各状況を表示画面より把握し、さらに、その時点における対処方法も同時に取得できるようなシステムが望まれている。
【０００３】
【従来の技術】
従来の建物や設備、環境等の監視制御システムにおいて、ある監視ポイントにおいて、アクシデントが発生した場合に、当該アクシデントが発生した箇所とそのアクシデントの状況が管理センタ内の警報表示装置に表示される。
【０００４】
警報表示装置に表示する第１の例として、特開平５−２０５７１『警報監視装置の表示方法』がある。この例は、通常、オペレータが操作するための操作画面等の非重要ウィンドウ画面と警報発生位置を表示する警報グラフィック画面とを同一の表示画面上にマルチ画面として表示するものである。この第１の例は、警報発生時に非重要ウィンドウ画面と警報グラフィック画面を１つの画面内に重ね合わせるものである。この例において、警報発生位置を示す警報クラフィックポイントと、操作用ウィンドウ画面が重なる場合に、操作用ウィンドウ画面を表示画面の四隅に順次割り当てていき、当該操作用ウィンドウが警報グラフィックポイントに重ならない位置を探索し、警報表示用の警報グラフィック画面を表示し、操作用ウィンドウを当該警報クラフィックポイントと重ならない位置に移動させて表示するものである。
【０００５】
従来の第２の例として、特開平５−２８３８０『防災監視システムの監視表示方法』がある。この例は、異常が発生していない状況での監視時のウィンドウ表示と、異常が発生した時に監視時のウィンドウを表示し、このウィンドウ内に各々異なる内容のメッセージを自動的に表示するものである。
【０００６】
【発明が解決しようとする課題】
しかしながら、上記第１の従来の例では、操作用ウィンドウを常に警報グラフィック画面より優先させているため、異常発生時において表示される警報グラフィック画面が隠れてしまう。このため、通常時の操作より本来緊急時に対応しなければならない異常発生時の状況が十分に把握できないという問題がある。
【０００７】
また、第２の従来の例では、異常発生時の監視ウィンドウを表示する際に、異常発生時用ガイダンス画面を１枚しか表示できないため、複合して発生している障害を全て把握することができない。例えば、火災時において、警報ポイントがある建物の２階から４階にかけて発生している場合に、火災センサが２か所で起動しても一方の階の部分の火災センサの情報しか表示できないため、延焼の状況を知ることができないという問題がある。
【０００８】
本発明は、上記の点に鑑みなされたもので、上記従来の問題点を解決し、ある管理ポイントに警報が発生した場合に、その管理ポイントに関連する複数枚の画面を同時に画面に表示することが可能な警報表示システムを提供することを目的とする。
【０００９】
また、本発明の更なる目的は、火災の延焼等により複数の警報が次々と発生した場合であっても、関連画面が次々に表示され、重要な警報を見逃したり、当該警報に対処するための操作が容易に実施できる警報表示システムを提供することである。
【００１０】
【課題を解決するための手段】
本発明は、監視制御システムにおいて、監視ポイントから警報情報が入力されると、表示手段に該警報情報を表示する警報表示システムにおいて、
監視ポイントにおいて発生した異常状態に関する警報情報を警報メッセージとして送信する子局と、
子局から受信した警報情報に基づいて、少なくとも１つの関連画面を１つの画面上に表示し、１つの画面上に警報に関する情報を自動表示する機能を一時的に禁止または、自動表示禁止状態を解除する自動表示禁止／解除手段を有するセンタと、を有し、
自動表示禁止／解除手段は、
手動操作により自動表示禁止状態を解除する手動解除手段と、
自動表示禁止状態となってから所定の時間が経過した時に解除する第１の自動表示禁止解除手段と、
所定のレベルより高い警報情報が発生した場合に自動表示禁止状態を解除する第２の自動表示禁止解除手段と、を含む。
【００１１】
本発明は、監視制御システムにおいて、監視ポイントから警報情報が入力されると、表示手段に該警報情報を表示する警報表示システムにおいて、
監視ポイントにおいて発生した異常状態に関する警報情報を警報メッセージとして送信する子局と、
子局から受信した警報情報に基づいて、少なくとも１つの関連画面を１つの画面上に表示するセンタと、を有し、
センタは、
１つの画面上に警報に関する情報を自動表示する機能を一時的に禁止または、自動表示禁止状態を解除する自動表示禁止／解除手段と、
自動表示禁止状態において発生した警報情報に関連する関連画面を表示する際に表示画面内に警報メッセージを表示するためのメッセージ表示領域を設定し、該メッセージ表示領域に表示された複数の警報メッセージ中から選択された警報メッセージに関連する関連画面を表示し、さらに、関連画面が既に他のウィンドウに表示されている場合には、新たに別のウィンドウに同じ関連画面を表示することなく、該他のウィンドウに表示されている関連画面を画面の最前面に表示する関連画面表示手段と、を含む。
【００１５】
【作用】
本発明は、センタに接続されている警報表示装置に対して、１つの表示画面上に複数のウィンドウを同時に表示するマルチウィンドウ表示することにより、複数の警報情報が１つの画面で確認することが可能となる。
【００１６】
本発明は、警報情報のように重要度の高い情報を一般の操作情報より優先して表示するための自動表示禁止機能を有することにより、緊急性の高い情報を見失うことがない。即ち、一般の操作情報が自動的に表示されないように制御し、重要度が高い情報を優先表示させるものである。また、緊急性の高い情報を取得したあとに、一般の操作情報を表示することも可能である。
【００１７】
本発明は、予め指定された警報情報が表示されている時に、オペレータによる手動操作やそれ以降に発生する一般の操作情報や重要度の低い情報を自動表示禁止とすることにより、最も優先して取得すべき警報を表示しておくことが可能である。
【００１８】
本発明は、自動表示禁止を解除する場合には、必要に応じてオペレータが手動操作により解除することができるため、警報情報表示時であっても操作を行わなければならない場合に柔軟性がある。また、自動表示禁止状態になってから所定の時間を経過した時に自動表示禁止を解除することにより、ある一定時間が経過することにより当該警報情報の重要性が薄くなるため、重要性が薄れても問題がない時間を設定することにより自動的に解除されるため、警報の認識には問題がなく、かつ、操作を行わなくとも自動的に解除される。また、現在表示しているレベルよりさらに高いレベルの警報が発生した場合には、当該警報の情報が優先して表示されることになる。
【００１９】
本発明は、自動表示禁止状態において発生した警報の内容をメッセージ表示専用エリアに登録しておくことにより、後刻オペレータが当該警報メッセージを選択した場合に、当該警報メッセージに関連する関連ウィンドウを表示することも可能となる。
【００２０】
本発明は、上記において、メッセージ表示専用エリアにおいて複数のメッセージを表示しておき、当該メッセージよりウィンドウに表示して確認したい内容を選択することにより、自動表示禁止状態であっても表示されたウィンドウを確認することが可能である。
【００２１】
【実施例】
以下、図面と共に本発明の実施例を詳細に説明する。
図１は、本発明の一実施例の警報表示システムのシステム構成を示す。同図に示すシステムは、警報を監視するセンタ１００、監視ポイント毎に配置される複数の探知部（センサ）が接続され、当該探知部が異常を検知すると、検知内容をセンタ１００に通知する子局２１０，２２０，２３０，２４０、センタ１００に接続されセンタで制御された検知内容を表示操作する警報表示装置３１０、プリンタ３２０より構成される。各々の子局２１０，２２０，２３０，２４０には、電力、空調、照明、給排水衛生、防災、防犯設備を監視するためのセンサ等が接続されており、センサはこれらの各設備において異常が発生した場合に、その異常を検知して、子局に通知する。子局は、それらの異常状態に関する警報情報をセンタ１００に警報メッセージとして通知する。
【００２２】
センタは、管理ポイントのアドレス、警報レベル、自動表示禁止指定情報、当該警報に関する関連画面番号等の情報を有する。
本実施例では、警報表示装置３１０は、ＣＲＴディスプレイ装置を用いるものとし、センタ１００で表示制御された複数のウィンドウをＣＲＴディスプレイ装置上（以下、表示画面という）表示する。また、プリンタ３２０は、表示された警報内容を文字列化して出力されるものとする。
【００２３】
図２は、本発明の一実施例のセンタの構成を示す。センタ１００は、メッセージ管理テーブル１１０、ポイント管理テーブル１２０、画面管理テーブル１３０、関連画面データ蓄積部１４０、警報入力部１５０、自動表示制御部１６０、警報レベル制御部１７０、ウィンドウ制御部１８０及び画面表示部１９０より構成される。
【００２４】
警報入力部１５０は、センタ１００に接続されている子局より警報が発生した場合の警報メッセージを受信し、当該警報メッセージをポイント管理テーブル１２０に展開する。
自動表示制御部１６０は、以下に説明するポイント管理テーブル１２０及び画面管理テーブル１３０を参照して画面表示部１９０に対して表示すべき画面（ウィンドウ）の制御を行う。
【００２５】
警報レベル制御部１７０は、子局より受信した警報レベルのレベルを調査し、当該警報レベルは、現在警報表示装置３１０上に表示されている警報の情報のレベルと比較し、その結果を自動表示制御部１６０またはウィンドウ制御部１８０に通知する。
【００２６】
ウィンドウ制御部１８０は、各関連画面について１つの警報情報画面の表示のみでは情報が把握できない可能性があるので、ポイント管理テーブル１２０と画面管理テーブル１３０を参照して、受信した警報メッセージに関連する情報に対応する関連画面を警報表示装置３１０上の１つの画面に表示する関連画面の番号を設定する。また、ウィンドウ制御部１８０は、予めシステムにより決定されている最大表示可能ウィンドウの数と、現在表示されているウィンドウの数と新たに発生した警報の関連画面の数を調査し、所定の最大表示可能ウィンドウの数を超える場合には、現在表示されている履歴の古いウィンドウを消去する。
【００２７】
画面表示部１９０は、ウィンドウの表示位置情報に基づいて指定されたウィンドウを表示する。また、これらのウィンドウ内に表示する関連画面データを関連画面データ蓄積部１４０より読み出して警報表示装置３１０に表示する。このとき、関連画面データを表示する際に、関連画面データ蓄積部１４０より当該関連画面中に表示するためのメッセージをメッセージ管理テーブル１１０より合わせて読み出して、所定のメッセージ表示領域に表示するよう制御する。また、オペレータによりメッセージ表示領域に表示された複数のメッセージよりメッセージが選択されると、当該メッセージに関連する画面情報を関連画面データ蓄積部１４０より取得して、警報表示装置に３１０に表示する。
【００２８】
メッセージ管理テーブル１１０は、メッセージ表示領域に表示するためのメッセージを有し、メッセージ表示領域のどの行に表示されている警報メッセージがどのポイントアドレスに関するものかを管理する。
ポイント管理テーブル１２０は、管理ポイントの監視方法に関するテーブルである。図３は、本発明の一実施例のポイント管理テーブルの例を示す。ポイント管理テーブル１２０は、各子局のポイントアドレス毎に、警報レベル、自動表示禁止指定、関連画面１、２、３（関連画面はｎ画面設定可能）が設定されている。
【００２９】
ここで、ポイントアドレスは、各子局が監視するポイント毎に一意に付与されているアドレスである。警報レベルは、本実施例では、軽度の警報レベルである“軽”、重度の警報レベルである“重”、緊急性を要する警報レベルである“緊”の３つのレベルとする。自動表示禁止指定は、発生した警報が自動表示禁止指定のある警報である場合に、警報表示装置３１０に対して警報に関する情報を優先的に表示するためのものである。自動表示禁止指定が“無”の場合には、自動表示制御部１６０は、以後の関連画面の自動表示が可能で“有”の場合には、以後の関連画面の自動表示を禁止する。自動表示の禁止の制御は、自動表示制御部１６０により、オペレータから手動で指定される他、ある時点以降に発生した警報をトリガにして自動的に禁止する等の制御が行われる。また、自動表示禁止の解除の制御は、同様に自動表示制御部１６０で制御され、オペレータから手動で指定される他、現在表示されている警報メッセージより警報レベルが高い警報メッセージが発生した場合に自動的に解除する等の制御方法がある。
【００３０】
画面管理テーブル１３０は、現在、警報表示装置３１０に表示されている画面の状態を管理するためのテーブルである。図４は、本発明の一実施例の画面管理テーブルの例を示す。画面管理テーブル１３０は、自動表示禁止・解除状態、自動表示禁止要因、自動表示禁止カウンタ（秒）、自動表示禁止残りカウンタ（秒）、表示中の関連画面の警報レベル、ウィンドウ表示枚数、第１のウィンドウに表示中の画面番号，第２のウィンドウに表示中の画面番号，…，第ｎのウィンドウに表示中の画面番号より構成される。このテーブルは、自動表示制御部１６０及びウィンドウ制御部１８０により参照される。
【００３１】
以下に画面管理テーブル１３０の各項目の内容を説明する。
▲１▼  自動表示禁止・解除状態項目は、“禁止”と“解除”の２つの状態からなり、本実施例では、自動表示を禁止して現在の警報表示情報を維持する際には、“禁止”が設定され、また、警報表示情報が表示されていない場合や、所定のレベルより低い警報メッセージの場合には“解除”が設定され、自動表示状態となる。
【００３２】
▲２▼  自動表示禁止要因項目は、自動表示禁止状態である場合に、オペレータにより手動で指定されているのか、または、自動表示禁止指定のある警報が発生しているのかが設定される。
▲３▼  自動表示禁止カウンタ（秒）項目は、自動表示禁止が設定されている場合に、何秒間禁止するかを設定するものであり、予め自動表示禁止指定のある警報に設定されているものとする。但し、このカウンタ値は、運用中にオペレータが手動によりある時間を入力することにより変更することも可能である。
【００３３】
▲４▼  自動表示禁止残りカウンタ（秒）項目は、自動表示禁止表示設定時間に対して残りの秒数を示すもので、タイマ１５０により１秒毎に減算されていく。例えば、子局より受信し、画面管理テーブル１３０内の自動表示禁止・解除状態が“禁止”状態であるとき、自動表示禁止残りカウンタのエリアに自動表示禁止カウンタ値として「６０秒」をセットし、以降は、タイマ処理によってこの値を減算し、減算結果を残りの秒数として更新・設定される。
【００３４】
▲５▼  表示中の関連画面の警報レベルは項目、どの警報レベルで現在表示中の関連画面が自動表示されたのかを示す。
▲６▼  ウィンドウ表示枚数項目は、現在１画面中に表示されているウィンドウ数を示す。
【００３５】
▲７▼  ウィンドウに表示中の画面番号項目欄において、上記のウィンドウに表示される関連画面の番号である。例えば、図５に示すように、ウィンドウａからウィンドウｄの４枚のウィンドウが同一画面上に表示されることになる。その各々のウィンドウａ〜ｄにそれぞれ、当該項目で指定された関連画面の番号が設定される。図４の例では、ウィンドウａには、関連画面の番号として“５００”が設定される。ここで、関連ウィンドウとして、例えば、火災が発生に関する警報メッセージを取得した場合については、あるフロアのどの部分で火災が発生しているかを示す火災発生のフロア平面図、ビルのどの階で火災が発生しているのか、または、延焼しているのかを示すビルの断面図、火災発生現場を回避して避難するための誘導画面、自動放送指示画面等がある。
【００３６】
また、例えば、システムで規定されているウィンドウが最大１０枚であり、これから表示しようとする関連ウィンドウの枚数が３枚であり、現在のウィンドウ表示枚数が８枚である場合には、合計で１１枚となるので、３枚の関連画面を表示する前に現在表示されている８枚のウィンドウより１枚の表示ウィンドウを消去することにより、同一画面の表示ウィンドウ数が１０となり、所定の規定ウィンドウ数の上限において表示可能となる。
【００３７】
また、ある警報により表示されるウィンドウａに対して、関連する関連画面を表示できる状態であれば、ウィンドウａに対して関連画面を表示し、画面管理テーブル１３０内のウィンドウ表示枚数や各ウィンドウの表示中のウィンドウ番号データを更新する。
【００３８】
次に、動作の概要を説明する。
図６、図７は、本発明の一実施例の動作の概要を説明するためのフローチャートである。
ステップ１０１）  センタ１００の警報入力部１５０は、警報メッセージを子局より受信する。
【００３９】
ステップ１０２）  警報入力部１５０は、警報メッセージに基づいて、ポイント管理テーブル１２０を参照し、警報レベル、自動表示禁止指定、関連画面番号を取得する。
ステップ１０３）  自動表示制御部１６０は、ポイント管理テーブル１２０を参照して取得した子局のポイントアドレスに対応する自動表示禁止指定が自動表示禁止状態であるかを判定し、禁止状態であれば、ステップ１０４に移行し、解除状態であればステップ１０６に移行する。
【００４０】
ステップ１０４）  自動表示制御部１６０は、画面管理テーブル１３０を参照して、現在の自動表示禁止状態がオペレータの操作（手動）によるものであるかを判定し、手動の場合には処理を終了する。また、自動表示禁止要因項目▲２▼が“自動”である場合にはステップ１０５に移行する。
【００４１】
ステップ１０５）  警報レベル制御部１７０は、ポイント管理テーブル１２０を参照して今回受信した警報メッセージの警報レベルと、画面管理テーブル１３０内に設定されている現在警報表示装置３１０に表示されている画面データの警報レベルとを比較して、現在表示されている警報のレベルの方が高い場合には、処理を終了する。また、今回受信された警報メッセージの警報レベルの方が高い場合には、ステップ１０６に移行する。
【００４２】
ステップ１０６）  ウィンドウ制御部１８０は、ポイント管理テーブル１２０から関連画面番号（ウィンドウ番号）を取得する。
ステップ１０７）  入力したウィンドウ番号はすでに警報表示装置３１０に表示されているかを判定する。これは、ウィンドウ制御部１８０が画面管理テーブル１３０の各ウィンドウの表示ウィンドウ番号項目（▲７▼以降）の欄にステップ１０６で取得したウィンドウ番号が存在するかを照合する。存在する場合には、ステップ１１４に移行する。存在しない場合、つまり、警報表示装置３１０に今回受信した警報メッセージに関するウィンドウが表示されていない場合には、ステップ１０８に移行する。
【００４３】
ステップ１０８）  ウィンドウ制御部１８０は新規にウィンドウを生成すると、最大ウィンドウ枚数を超過するかを判断し、超過する場合にはステップ１０９に移行し、超過しない場合にはステップ１１０に移行する。
ステップ１０９）  最大ウィンドウ枚数を超過する場合には、超過分のウィンドウを現在表示されているウィンドウにより最も表示履歴の古いものから消去する。
【００４４】
ステップ１１０）  ウィンドウ制御部１８０は、新規にウィンドウを生成すると共に、ポイント管理テーブル１２０を参照して、受信した警報メッセージに関連するウィンドウを警報表示装置３１０上に表示する。
ステップ１１１）  ウィンドウ制御部１８０は、自動表示禁止指定のある警報メッセージである場合には、ステップ１１２に移行し、自動禁止指定がない情報である場合には、処理を終了する。
【００４５】
ステップ１１２）  ウィンドウ制御部１８０は、画面管理テーブル１３０内の自動表示禁止／解除状態を「禁止」とする。
ステップ１１３）  ウィンドウ制御部１８０は、自動表示禁止残りカウンタ項目▲４▼に警報メッセージに指定されている自動表示禁止カウンタ値を設定し、処理を終了する。
【００４６】
ステップ１１４）  ステップ１０７において、入力したウィンドウ番号のウィンドウが既に表示されている内容と同様である場合には、表示中のウィンドウをアクティブ状態とし、新たな別のウィンドウに同じ表示を行わない。
上記のフローチャートのステップ１０９以降の処理である自動表示禁止カウンタ▲４▼の更新処理について説明する。ステップ１０９により画面管理テーブル１３０内の自動表示禁止カウンタ値に受信した警報メッセージのカウンタ値が設定されたものとして説明する。図８は、本発明の一実施例の自動表示残りカウンタの制御を説明するためのフローチャートである。
【００４７】
ステップ２０１）  タイマより１秒の割り込みが発生すると、自動表示制御部１６０は、画面管理テーブル１３０の自動表示禁止・解除状態▲１▼を参照して、自動表示禁止状態である場合には、ステップ２０２に移行し、自動表示状態である場合には処理を終了する。
【００４８】
ステップ２０２）  自動表示制御部１５０は、画面管理テーブル１３０を参照して、自動表示禁止残りカウンタ項目▲４▼から１をデクリメントする。図４に示す画面管理テーブル１３０の例では、自動表示禁止カウンタ▲３▼に“６０秒”が設定されているので、自動表示禁止残りカウンタ▲４▼は、“５９秒”となる。
【００４９】
ステップ２０３）  次に、１秒分をデクリメントした結果、自動表示残りカウンタの値が０になっていない場合には、そのまま受信した警報に基づく表示を続行する。また、自動表示残りカウンタの値が０となった場合には、ステップ２０４に移行する。
【００５０】
ステップ２０４）  自動表示残りカウンタ▲４▼の値が０になった場合には、自動表示制御部１６０は自動表示禁止・解除状態を『解除』とする。
次に、具体的な例を用いて、本実施例を説明する。
図９〜図１１は、本発明の一実施例の各モード毎に警報表示装置に表示される例を示す。図９〜図１１において、ウィンドウの上端に付与されている番号はウィンドウ番号を示し、ウィンドウの中にある四角形は設備等のシンボルを示し、その四角形内に記載されている『軽』、『重』、『緊』は警報レベルを示す。また、網掛けで表記されている四角形は自動表示の禁止対象の警報であることを示す。
【００５１】
図９は、本発明の一実施例の自動表示状態時における警報表示装置に表示される例を示す図である。同図（Ａ）は、ウィンドウ番号１００の中に警報レベル『軽』が発生している設備があることを示している。ここで、軽警報が発生すると、同図（Ｂ）に示すように自動表示禁止が解除されているため、ウィンドウ２００が自動表示される。次に、ウィンドウ１００で別の軽警報が発生すると１つのウィンドウ１００にもう一つの軽警報の設備が表示され、ウィンドウ１００がウィンドウ２００の前面に表示される。
【００５２】
図１０は、本発明の一実施例のオペレータの手動操作により自動表示が禁止状態になっている場合に警報表示装置に表示される例を示す。同図（Ａ）は、ウィンドウ番号１００のウィンドウに軽警報が発生している設備が表示されている。同図（Ｂ）には、同図（Ａ）で表示されているウィンドウ番号１００のウィンドウの前面に、ウィンドウ番号２００のウィンドウを自動表示されている。このとき、オペレータが自動表示禁止操作（手動）を行ったものとする。さらに、この後、重警報がウィンドウ番号３００のウィンドウで発生した場合に、同図（Ｃ）に示すように、（Ｂ）の表示状態から変化しない。即ち、オペレータの手動操作により自動表示禁止状態となったので、重警報が発生してもウィンドウ番号３００のウィンドウは表示されず、同図（Ｂ）のまま現状維持される。
【００５３】
図１１は、本発明の一実施例の重警報の発生により自動表示が禁止状態となった場合の例を示す。同図（Ａ）は、軽警報が発生している設備がウィンドウ番号１００のウィンドウに表示されている状態である。このとき、重警報が発生したため、同図（Ｂ）に示すように、ウィンドウ番号２００のウィンドウがウィンドウ番号１００のウィンドウの前面に表示され、自動表示禁止状態なった。
【００５４】
次に、この状態（Ｂ）において、ウィンドウ番号３００で緊急警報が発生したため、同図（Ｃ）に示すように最も注意を引かなければならないウィンドウ番号３００のウィンドウを最前面に表示する。
このように自動的または、手動により自動表示禁止解除状態となっている場合であっても、重警報以上の警報（所定のレベル以上の警報メッセージ）が発生した場合には、自動的に自動表示禁止状態になるように制御する。また、よりレベルの高い警報が発生した場合には、当該警報を表示するウィンドウを最前面に表示する。これにより、最も緊急性の高い警報を即座に把握することが可能である。
【００５５】
次に、ウィンドウ制御部１８０が警報表示装置３１０に表示される枚数を制御する例を説明する。
以下の例では、予めシステムにおいて、最大枚数ウィンドウを１０枚とされているものとする。
【００５６】
図１２は、本発明の一実施例の表示ウィンドウ枚数の制御を説明するための図である。同図（Ａ）において、ウィンドウ番号１００〜１１０までの１０枚のウィンドウが表示されている。ここで、新たに受信した警報メッセージにより軽警報が発生したウィンドウ番号２００のウィンドウが存在する場合、ウィンドウ制御部１８０は、現在（Ａ）に表示されているウィンドウ番号１００〜１１０のウィンドウのうち、ウィンドウ番号１１０のウィンドウを消去して、同図（Ｂ）に示すように、ウィンドウ番号２００のウィンドウを表示する。これにより、ウィンドウ番号１１０のウィンドウが消去されているので、最大表示ウィンドウ枚数は１０枚となり、最大表示ウィンドウ枚数の範囲内となる。次に同図（Ｂ）の状態において、さらに、軽警報が発生したウィンドウ番号３００のウィンドウが存在する場合、ウィンドウ制御部１８０は、ウィンドウ番号１０９のウィンドウを消去して、同図（Ｃ）に示すように、ウィンドウ番号３００のウィンドウを最前面に表示する。
【００５７】
このようにウィンドウ制御部１８０が制御することにより、最新の警報が最前面に表示され、時間の経過に沿って最新の警報情報を取得することができる。
次に、火災と停電が発生した場合を例として、具体的に説明する。
以下に説明する例において、最大表示ウィンドウ枚数を３枚とし、最初の時点では、オペレータにより自動表示禁止が指定されているものとする。自動表示禁止解除となる警報レベルは重警報以上の警報発生時とする。
【００５８】
図１３は、本発明の一実施例の具体例を説明するためのポイント管理テーブルを示し、図１４は、本発明の一実施例の具体例を説明するための画面管理テーブルを示す。
（１）  センタ１００が火災発生を知らせる軽警報が図１に示す子局２１０（ポイントアドレス０１０１０１）から受信する。このとき、警報表示装置３１０には、当該警報を受信する以前の警報情報または操作情報が表示されている。
（２）  ここで、センタ１００は、火災発生の予告を知らせる重警報が子局２２０（ポイントアドレス０１０１０２）から受信する。図１３に示す当該子局２２０の内容は、重警報に対して自動表示禁止指定が有効であるので、上記（１）で自動表示禁止となる。関連画面番号を参照すると、当該警報に対する関連画面として、関連画面番号１００、３００、５００の３枚の関連画面が指定されているため、上記の（１）で表示されていたウィンドウは全て消去され、図１４に示すウィンドウが表示される。同図に示すように、関連画面番号１００のウィンドウにおいて、火災発生フロアにおける防災設備の稼働状況図という建物の３階の防災平面図が表示され、関連画面番号３００のウィンドウにおいて、火災延焼状況や空調機の停止状況を示す建物の断面という防災断面図が表示され、関連画面番号５００において火災発生時の対応方法や連絡先の説明文等の火災防災発生時対応マニュアルが表示される。
【００５９】
（３）  次に、センタ１００は、本火災発生を知らせる緊急警報が子局２３０（ポイントアドレス０１０１０３）より受信する。図１３に示す内容において、関連画面として関連画面番号８００、９００の２つの関連画面が存在することがわかる。これにより、センタ１００は、図１４に表示されているうちの関連画面番号３００と５００のウィンドウを消去し、図１５に示すように関連画面番号８００、９００及び関連画面番号１００を表示する。図１５において、関連画面番号８００を表示しているウィンドウには、空調機の停止を確認するために空調機の運転状況の一覧表が表示される。また、関連画面番号９００を表示するためのウィンドウには、避難誘導経路図が表示され、火災が発生していない通路及び非常口の状況等を表示する。
【００６０】
（４）  さらに、センタ１００は、火災による停電を知らせる緊急警報が子局２２０（ポイントアドレス０１０１０２）より受信する。図１３に示す内容において、関連画面として関連画面番号２００、４００、６００が存在することが分かる。これにより、センタ１００は、図１５に表示されている全てのウィンドウを消去して、図１６に示すように関連画面番号２００、４００、６００の３つの関連画面を表示する。図１６において、停電の情報として、関連画面番号２００のためのウィンドウには、受変電設備の状態を示す電力スケルトン図で示される受変電設備の情報、関連画面番号４００を表示するためのウィンドウには、非常用設備の稼働状況を示す図が防災断面図として表示され、関連画面番号６００を表示するためのウィンドウには、停電発生時の対応方法や連絡先等の説明文が停電発生時対応マニュアルとして表示される。
【００６１】
次に、画面表示部１９０が表示画面上にメッセージ表示領域を設定し、当該メッセージ表示領域に複数のメッセージを表示し、オペレータにより選択されたメッセージに応じて関連画面を表示する例を説明する。図１７は、本発明の一実施例のメッセージ表示領域を設けた例を示す。
【００６２】
画面表示部１９０は、ポイント管理テーブル１２０を参照して、警報入力部１５０により受信した警報メッセージでメッセージ管理テーブル１１０を文字列化して、警報表示装置３１０のメッセージ表示領域３１２に表示する。同図の例では、メッセージ表示領域３１２には、２つのメッセージが表示されており、オペレータが表示されているメッセージのうち『７／２０，１０：２４，警報発生，満水，上水槽』をマウス等のポインティングデバイスでクリックすると、画面表示部１９０は、ポイント管理テーブル１２０を参照して、関連画面情報を取得して、ウィンドウ表示部３１１に関連画面ａとして表示する。また、『７／２０，１１：００，警報復旧，正常，上水槽』を選択すると、画面表示部１９０は、上記と同様の方法で関連画面ｂを取得して、ウィンドウ表示部３１１に表示する。また、メッセージをメッセージ表示領域３１２に表示する際に、図面表示部１９０は、図１８に示すメッセージ管理テーブル１１０を参照して、メッセージ表示領域３１２に表示する。メッセージ管理テーブル１１０は、メッセージ表示領域３１２の各行に表示されている警報メッセージがどのポイントアドレスに関するものかを管理するテーブルであり、警報メッセージをセンタ１００が受信し、それをメッセージ表示領域３１２に表示する度に更新される。マウス等でメッセージがクリックされると、画面表示部１９０はメッセージ管理テーブル１１０を参照し、ポイントアドレスを取得し、図１３のポイント管理テーブル１２０を参照し、関連画面番号を取得し、当該画面を表示する。
【００６３】
また、図１７では、画面表示部１９０において、メッセージ表示領域３１２に表示されているメッセージを選択して、関連画面をウィンドウに表示する例を示したが、この例に限定されることなく、ポイント管理テーブル１２０の項目に警報種別を設け、表示画面中にシステム状態表示（例えば、火災、停電、システム異常）等の項目を表示しておき、確認したい項目をクリックすることにより、ポイント管理テーブル１２０の警報種別を参照して、当該警報種別に対応する関連画面を表示することも可能である。
【００６４】
なお、本発明は、上記の実施例に限定されることなく特許請求の範囲内で種々、変更・応用が可能である。
【００６５】
【発明の効果】
上述のように本発明によれば、警報発生時に複数の画面をマルチウィンドウ表示できるため、必要不可欠の情報を同時に得ることができる。そのため、警報の認識と対処を迅速かつ的確に行うことができる。
【００６６】
また、本発明は、複数の警報が次々に発生した場合でも、自動表示禁止機能によって画面が次々に入れ替わるのを防ぐことができる。そのため、重要な情報を見逃したり、操作に手間取ったりすることを防ぐことができる。
また、自動表示禁止状態となってもより高いレベルの警報が発生した場合には自動表示の禁止が自動解除されるため、重要な情報を見逃したり、認識や対応が遅れたりするのを防ぐことができる。
【００６７】
また、オペレータが手動操作によって自動表示を禁止し、解除操作を忘れた場合でも一定時間後に強制てきに自動表示を解除することができるので、警報の認識や対処の遅れを防ぐことができる。
【図面の簡単な説明】
【図１】本発明の一実施例の警報表示システムのシステム構成図である。
【図２】本発明の一実施例のセンタの構成図である。
【図３】本発明の一実施例のポイントテーブルの例を示す図である。
【図４】本発明の一実施例の画面管理テーブルの例を示す図である。
【図５】本発明の一実施例の同一画面に表示されるウィンドウの例を示す図である。
【図６】本発明の一実施例の概要を説明するためのフローチャート（その１）である。
【図７】本発明の一実施例の概要を説明するためのフローチャート（その２）である。
【図８】本発明の一実施例の自動表示残りカウンタの制御を説明するためのシーケンスチャートである。
【図９】本発明の一実施例の自動表示状態時における警報表示装置に表示される例を示す図である。
【図１０】本発明の一実施例のオペレータの手動操作により自動表示が禁止状態になっている場合に、警報表示装置に表示される例を示す図である。
【図１１】本発明の一実施例の重警報の発生により自動表示が禁止状態となった場合に警報表示装置に表示される例を示す図である。
【図１２】本発明の一実施例の表示ウィンドウ枚数の制御を説明するための図である。
【図１３】本発明の一実施例の具体例を説明するためのポイントテーブルを示す図である。
【図１４】本発明の一実施例の具体例を説明するためのウィンドウ表示例（その１）である。
【図１５】本発明の一実施例の具体例を説明するためのウィンドウ表示例（その２）である。
【図１６】本発明の一実施例の具体例を説明するためのウィンドウ表示例（その３）である。
【図１７】本発明の一実施例のメッセージ表示領域を設けた例を示す図である。
【図１８】本発明の一実施例のメッセージ管理テーブルの例を示す図である。
【符号の説明】
１００  センタ
１１０  メッセージ管理テーブル
１２０  ポイント管理テーブル
１３０  画面管理テーブル
１４０  関連画面データ
１５０  警報入力部
１６０  自動表示制御部
１７０  警報レベル制御部
１８０  ウィンドウ制御部
１９０  画面表示部
２１０，２２０，２３０，２４０  子局
３１０  警報表示装置
３２０  プリンタ
【図１】
0003571411.tif 000002
【図２】
0003571411.tif 000003
【図３】
0003571411.tif 000004
【図４】
0003571411.tif 000005
【図５】
0003571411.tif 000006
【図６】
0003571411.tif 000007
【図７】
0003571411.tif 000008
【図８】
0003571411.tif 000009
【図９】
0003571411.tif 000010
【図１０】
0003571411.tif 000011
【図１１】
0003571411.tif 000012
【図１２】
0003571411.tif 000013
【図１３】
0003571411.tif 000014
【図１４】
0003571411.tif 000015
【図１５】
0003571411.tif 000016
【図１６】
0003571411.tif 000017
【図１７】
0003571411.tif 000018
【図１８】
0003571411.tif 000019